(57)【要約】【課題】  小屋組みの構造部材である垂木を組む際に勾配に影響されずにスペーサーを用いることなく垂木と横架材とを接合し垂木設置基準高さを自然の内に決める。【解決手段】  左右一対二枚の起立した側壁を有する接合金物の側壁間に垂木を設置した際に接合金物の側壁間の先端を上方に折曲しその折曲した先端を更に内方向に折曲したスペーサーを一体としたことを特徴とする。【選択図】図１
2017150292.tif 000002
【特許請求の範囲】
【請求項１】
一定の間隔をあけ連結し起立した一対の折曲整形された垂木を挟持する挟持壁を有する折曲板金金物であって、
一対の垂木挟持壁を連結する連結部分を有し、垂木両側からビス及び釘の何れかで留め付け横架材と緊結することを特徴とする垂木と横架材の接合金物。
【請求項２】
先端連結部分を一定の高さまで折り上げ垂木の高さを維持するスペーサーとして接合金物に内包した一体形として、異種断面垂木を並列した場合の基準高さとして、垂木同志の不陸を調整する。
別途個別のスペーサーを不要としたことを特徴とする請求項１記載の垂木と横架材の接合金物。
【請求項３】
接合金物の垂木との接触部であるスペーサー先端を内側直角に折曲して隅角部を設け、垂木をスペーサー上端部の前端外側隅角部と点接触にて支持したもので接合金物の勾配対応度の向上と接合金物の垂木へのめり込みを減少させたことを特徴とする請求項２記載の垂木と横架材の接合金物。
【発明の詳細な説明】
【技術分野】
【０００１】  本発明は、木造家屋等の建築時、特に木質枠組壁工法（以後２０４工法と云う）の横架材とそれに支持される垂木材の接合金物に関する。
【背景技術】
【０００２】  従来、在来木造軸組工法建築物は木材の端部特に構造部材を仕口（蟻、鎌等）と称する雌雄形状に加工しその仕口同志の雌雄を組み合わせ構造体を構成してきた。【０００３】  この仕口は古くは大工職の手仕事であったが、大工職の減少、高齢化も影響し、近年は特殊形状以外一般的な形状の仕口はコンピューター制御によるプレカット加工機を用い仕口を製作している。【０００４】  在来木造軸組工法（以後木軸工法と云う）にあっては、比較的大断面の横架材等の構造部材の場合、構造部材の一部分を欠き取り断面欠損をさせ仕口受口としているが２０４工法の場合は使用構造部材の断面が小さく（３８×８９ミリ／２０４）部材の強度を保つため断面欠損による仕口や受口を作ることが不可能である。
【発明の開示】
【発明が解決しようとする課題】
【０００５】  上述の如く、従来技術に関わる仕口や受口は比較的大断面の構造部材に設けるのであれば問題は無いが、２０４工法に用いる構造部材、特に垂木材（以後垂木と云う）等には２０４材が多く用いられ、横架材も２１０材（３８×２３５ミリ×２／２１０）の複合材であり、２０４材断面以上垂木を欠損したり横架材を欠損させ仕口や受口を作ることは無い。【０００６】  このため、２０４材が垂木の場合スペーサーブロック（以降スペーサーと云う）と称する側面変則四角形の六面体ブロック材を垂木の配置される横架材上に固定し、その上に垂木を固定し、ＴＳ、ＴＷ２３といった接合金物で固定し高さを一定の高さに調整している。【０００７】  また２０６材や２０８材等が垂木の場合は断面が竪方向には十分あるので、その際も２０４材と同寸の断面を残し垂木下端にバードマウスカット等の加工を施した横架材に乗せ掛けるための断面欠損加工を行っている。【０００８】  この際に必要となるのが高さの基準で個別スペーサーの低い側の高さを基準としており、この基準高さはすべての垂木を設置する場合に必要な共通高さであり、梁・桁等に配置した垂木の上端の高さは部材断面が異なっても常に同一高さとなる。【０００９】  本発明はこのような点に鑑みてなされたものであり、その目的は、横架材上（桁、梁、母屋上）に垂木を設置する場合に垂木毎にスペーサーを設置するのでは無く、接合金物を設置すると同時にスペーサー分の基準高さが確保される。
このことにより施工時間の短縮と簡略化、構造強度の確保及び個別スペーサーの排除によりコストダウンを図ることである。【００１０】  更に個別スペーサーを設置する場合は屋根の勾配に合わせた勾配の個別スペーサーを設置しなければならないため多くの勾配に対応する屋根勾配毎の個別スペーサーが必要になる。
【課題を解決するための手段】
【００１１】  上述の目的を達成する本発明の接合金物は、起立し連結した一対二枚の側壁から成り、その前端連結部から上方に伸びるプレートを一定の必要高さ（基準高）とり、更にその先端を直角内側方後方に折曲し個別スペーサーと同機能を持たせたことを特徴とする。【００１２】  一例として接合金物の両側壁の中央部に垂木材を設置した場合自然の内に個別スペーサーを取り付けた場合と同様に垂木上端の高さは他の垂木と同一高さになる。
更に桁上端への設置位置と小屋梁や母屋等への設置位置が同じであれば勾配も同じとなる小屋組みを構成できる。
【発明の効果】
【００１３】  以上説明したように、本発明の接合金物によれば、２０４材以上の断面の垂木材を用いて小屋組みを構成する場合、個別スペーサー無しで屋根の垂木上端を他の垂木上端と平滑に揃えられ、勾配も同様に揃えることができるため、小屋組みを構築する場合には極めて効率的である。
【発明を実施するための最良の形態】
【００１４】  以下、本発明の実施の形態を図面に基づき詳細に説明する。【００１５】  図１〜図１０は本発明の実施の形態に係り、図１はその縦断面、図２は外観斜視図、図３はスペーサーの外観斜視図、図４は垂木の加工図、図５は梁、桁及びスペーサーとの関係を示す断面図、図６は木軸工法の梁及び桁の加工を示す斜視図、図７は梁及び桁と垂木の関係を示す断面図、図８は木軸工法の垂木欠き、図９は連結部の拡大断面図、図１０はスペーサーの拡大図である。図１１は第２の実施例である。【００１６】  図１に示すように接合金物Ｗは横架材上端Ｕに設置され、垂木１は接合金物Ｗの両側の壁Ａ及びＢに挟持され、接合金物Ｗの連結部Ｆより立ち上げられ先端上方に向かい設けられた突起Ｃの先端の折曲されたＨが基準高ｔに高さを合わせ固定されている。【００１７】  図５に示すように接合金物Ｗを使用することで個別に個別スペーサー９を横架材上端に設置し垂木を配置したのと同様の効果が得られる。
スペーサーによる基準高ｔを図５及び図６に示すように自然の内に確保でき、同時に図５に示すような垂木１の下端１１とＷのスペーサー部分Ｈに面接触が無いので殆どの勾配に対応可能である。【００１８】  接合金物Ｗの先端Ｃの上方への突起は、両側壁Ａ及びＢのから突出した補強片Ｇを内方両側壁内側方向に折曲して、前端外側に折曲されて生じる基準高ｔの突起Ｃの内側に配置され垂木受けＣ及びＨの補強片として存在している。
その折曲したスペーサーＣ上のＨは垂木がＨの前方外側隅角部に点接触することにより勾配が存在すれば上述するように殆どの勾配の垂木に対応することが可能となる。
更に、垂木は両側壁Ａ、Ｂからは釘、ビス孔Ｋからビス又は釘Ｊにより固定されているためＨに必要以上の荷重が掛りＨが垂木下端１１にめり込むことが避けられる。【００１９】  図９は第２の実施例を示すもので、吹き抜け等の設計の場合、垂木は２０４材以外にも２０８材や２１０材が用いられることも多くその場合には垂木の下端の欠き取りを大きく取り、垂木の水平部を横架材に載せかけ欠き取り先端部を接合金物連結部Ｃに押し当てることで垂木の位置決めをすることもできる。【００２０】  以上、本発明の実施の形態及び実施例を説明したが、本発明の範囲はこれに限定されるものではなく、例えば２０４工法にのみに用いるのではなく、小断面の垂木材を用いる小スパンの木軸工法建築物や軽量鉄骨構造建築物に採用することも可能であり、適宜選択されるものである。
【産業上の利用可能性】
【００２１】  本発明は２０４工法の高強度小屋組みを構築し施工する産業分野で利用するこができる。
【図面の簡単な説明】
【００２２】
【図１】  本発明の第１の実施の形態に係る接合金物を介して接合される横架材と垂木の接合状態の縦断面図である。
【図２】  本発明の接合金物の外観斜視図である。
【図３】  スペーサーブロックの外観斜視図である。
【図４】  ２０４工法の垂木の欠き取りであるバードマウスカットである。
【図５】  垂木、横架材、スペーサーとの関係を示す縦断面図である。
【図６】  ２０４以上の垂木を使用した場合の垂木下端の欠き取りと横架材の関係を示す縦断面図である。
【図７】  木軸工法の横架材の垂木欠きの斜視図である。
【図８】  木軸工法の横架材の垂木欠きと垂木である。
【図９】  接合金物の連結部Ｃの補強片ＧとスペーサートップＨの関係を示す縦断面図である。
【図１０】  接合金物のスペーサー拡大図である。
【図１１】  本発明の第２の実施の形態を示すものである。
【符号の説明】
【００２３】１            垂木                          Ａ        接合金物右側壁
２            横架材                        Ｂ        接合金物左側壁
３            合わせ梁飼木                  Ｃ        接合金物スペーサー
４            バードマウスカット            Ｄ        接合金物固定片
５            ２０４垂木ライン              Ｆ        接合金物連結片
６            木軸工法横架材垂木欠          Ｇ        スペーサー補強片
７            木軸工法横架材                Ｈ        スペーサートップ
８            スペーサー                    Ｊ        固定片釘及びビス孔
９            垂木                          Ｕ        横架材天端
１０          木軸工法垂木                  Ｗ        接合金物
１１          垂木下端                      Ｋ        側壁釘、ビス孔
【図１】
2017150292.tif 000003
【図２】
2017150292.tif 000004
【図３】
2017150292.tif 000005
【図４】
2017150292.tif 000006
【図５】
2017150292.tif 000007
【図６】
2017150292.tif 000008
【図７】
2017150292.tif 000009
【図８】
2017150292.tif 000010
【図９】
2017150292.tif 000011
【図１０】
2017150292.tif 000012
【図１１】
2017150292.tif 000013